(57)【要約】【課題】コップやグラスのような底が深い器の内壁面および底面に付着した汚れを除去しやすい洗浄具を提供する。【解決手段】棒状の柄体２と、柄体２の先端部が内部に差し込まれた状態で柄体２に固定される弾性変形可能なクッション体３と、編まれた毛糸で形成されており、クッション体３の全体を覆うカバー体４と、を備える洗浄具１とする。【選択図】図１
2018019822.tif 000002
【特許請求の範囲】
【請求項１】
棒状の柄体と、
前記柄体の先端側が内部に差し込まれた状態で当該柄体に固定される弾性変形可能なクッション体と、
編まれた毛糸で形成されており、前記クッション体の全体を覆うカバー体と、を備える、器の汚れを擦り落とすための洗浄具。
【請求項２】
前記カバー体は、先端部の編み目の数が端に近い段ほど少なくなっている、請求項１に記載の洗浄具。
【請求項３】
編まれた毛糸で形成されており、環状または螺旋状に前記カバー体の周囲から突出する周囲突起体をさらに備える、請求項１または２に記載の洗浄具。
【請求項４】
編まれた毛糸で形成されており、ドーム状に前記カバー体の先端から突出する先端突起体をさらに備える、請求項１ないし３のいずれか一項に記載の洗浄具。
【請求項５】
前記カバー体を形成する毛糸はアクリル繊維から成るものである、請求項１ないし４のいずれか一項に記載の洗浄具。
【請求項６】
前記カバー体は細編みで編まれたものである、請求項１ないし５のいずれか一項に記載の洗浄具。
【請求項７】
前記先端突起体は内側が細編みで外側が引き抜き編みで編まれたものである、請求項４に記載の洗浄具。
【発明の詳細な説明】
【技術分野】
【０００１】
本発明は、食器や容器といった器の汚れを擦り落とすための洗浄具に関するものである。さらに詳しくは、コップやグラスのような底が深い器の内側の奥底まで擦りやすい、柄付の洗浄具に関するものである。
【背景技術】
【０００２】
コップやグラスのような底が深い器の洗浄には、器の奥底まで擦れるように、柄の先端にスポンジやタワシが取り付けられた洗浄具が用いられている。このような柄付の洗浄具には、汚れ落とし性や取扱い性を良くするための工夫がされているものがある。例えば、特許文献１にはグラス洗浄用器具が開示されている。この洗浄用器具は、棒状の持ち手の先端に取り付けたスポンジの周囲に板状のナイロンたわしを巻き付けている。さらにこのたわしの周囲をプラスチック製のカバーを被せた板状のナイロンたわしで取り囲み、取り囲んでいるたわしとカバーとをメッシュ状の布で覆って、持ち手にヒモで取り付けたものである。
【先行技術文献】
【特許文献】
【０００３】
【特許文献１】特開平１１−１７８７８０号公報
【発明の概要】
【発明が解決しようとする課題】
【０００４】
特許文献１に記載されているような工夫された洗浄具が提案されているものの、底が深い器の内壁面および底面を、よりきれいに洗浄したいという要望は依然としてある。
【０００５】
本発明は、かかる要望に鑑みてなされたものであり、コップやグラスのような底が深い器の内壁面および底面に付着した汚れを除去しやすい洗浄具の提供を課題としている。
【課題を解決するための手段】
【０００６】
上記課題を解決すべく、第１観点の洗浄具は器の汚れを擦り落とすための洗浄具であって、棒状の柄体と、柄体の先端側が内部に差し込まれた状態で柄体に固定される弾性変形可能なクッション体と、編まれた毛糸で形成されておりクッション体の全体を覆うカバー体と、を備えている。
【０００７】
また、第２観点の洗浄具は第１観点の洗浄具であって、カバー体における先端部の編み目の数が端に近い段ほど少なくなっている。
【０００８】
また、第３観点の洗浄具は第１または第２観点の洗浄具であって、編まれた毛糸で形成されており、環状または螺旋状にカバー体の周囲から突出する周囲突起体をさらに備えている。
【０００９】
また、第４観点の洗浄具は第１から第３観点のいずれかの洗浄具であって、編まれた毛糸で形成されており、ドーム状にカバー体の先端から突出する先端突起体をさらに備えている。
【００１０】
また、第５観点の洗浄具は第１から第４観点のいずれかの洗浄具であって、カバー体を形成する毛糸がアクリル繊維から成るものである。
【００１１】
また、第６観点の洗浄具は第１から第５観点のいずれかの洗浄具であって、カバー体が細編みで編まれたものである。
【００１２】
また、第７観点の洗浄具は第４観点の洗浄具であって、先端突起体の内側が細編みで外側が引き抜き編みで編まれたものである。
【発明の効果】
【００１３】
第１観点の洗浄具によれば、この洗浄具は、棒状の柄体の先端側にクッション体が固定されている。そして、この洗浄具は、クッション体全体がカバー体に覆われている。これにより、この洗浄具は、柄体の末端側が把持されて、先端側のカバー体を底の深い器の内壁面や底面に当てることができるように構成されている。また、この洗浄具は、カバー体の内側に弾性変形可能なクッション体を備えている。これにより、この洗浄具は、器に極度の衝撃を与え難いと共に型崩れし難いように構成されている。そして、この洗浄具は、カバー体が編まれた毛糸で形成されている。これにより、この洗浄具は、毛糸の細かい繊維が器に付着した汚れを絡めとると共に網目の凹凸が器に付着した汚れを掻き取るため、汚れを落としやすい。したがって、第１観点によれば、コップやグラスのような底が深い器の内壁面および底面に付着した汚れを除去しやすい洗浄具が提供される。なお、この洗浄具は、カバー体がクッション体の全体を覆っているため、柄体の延びる方向にカバー体がずれて外れ難い。
【００１４】
また、第２観点の洗浄具によれば、この洗浄具は、カバー体における先端部の編み目の数が端に近い段ほど少なくなっている。これにより、この洗浄具は、先端側が緩やかな曲面となり、ワイングラスのような曲面の底にカバー体が当たりやすいように構成されている。したがって、第２観点によれば、曲面の底の汚れを落としやすい洗浄具が提供される。
【００１５】
また、第３観点の洗浄具によれば、この洗浄具は、環状または螺旋状にカバー体の周囲から突出する周囲突起体を備えている。これにより、この洗浄具は、ワイングラスのような湾曲している内壁面に周囲突起体が当たりやすいように構成されている。したがって、第３観点によれば、湾曲している内壁面の汚れを落としやすい洗浄具が提供される。なお、この周囲突起体は編まれた毛糸で形成されているが、これにより汚れを落としやすくなっていることは前述の通りである。
【００１６】
また、第４観点の洗浄具によれば、この洗浄具は、ドーム状にカバー体の先端から突出する先端突起体を備えている。これにより、この洗浄具は、グラスの窪んだ底面に先端突起体が当りやすいように構成されている。したがって、第４観点によれば、底面の汚れを落としやすい洗浄具が提供される。なお、この先端突起体は編まれた毛糸で形成されているが、これにより汚れを落としやすくなっていることは前述の通りである。
【００１７】
また、第５観点の洗浄具によれば、この洗浄具は、素材にアクリル繊維から成る毛糸が用いられている。これにより、耐薬品性に優れ、型崩れし難い洗浄具が提供される。
【００１８】
また、第６観点の洗浄具によれば、この洗浄具は、カバー体が細編みで編まれたものである。これにより、網目が細かく伸び難い洗浄具が提供される。
【００１９】
また、第７観点の洗浄具によれば、この洗浄具は、先端突起体の内側が細編みで外側が引き抜き編みで編まれたものである。これにより、引き抜き編で編まれた部分によって根元がしっかりすることで、先端突起体がドーム状に形成された洗浄具が提供される。
【図面の簡単な説明】
【００２０】
【図１】第１実施形態の洗浄具の外観図である。
【図２】第１実施形態の洗浄具の縦断面図である。
【図３】第１実施形態のカバー体の編み図である。
【図４】第１実施形態の周囲突起体の編み図である。
【図５】第１実施形態の先端突起体の編み図である。
【図６】第２実施形態の洗浄具の縦断面図である。
【図７】第３実施形態の洗浄具の外観図である。
【発明を実施するための形態】
【００２１】
以下に、図面を参照して本発明の一実施形態である洗浄具について説明するが、本発明は、これらの実施形態に限定されるわけではない。なお、本明細書では、図面において両矢印で示されている方向を軸方向とし、Ｚ１が付されている方向を先端側Ｚ１、Ｚ２が付されている方向を末端側Ｚ２として説明をする。
【００２２】
＜第１実施形態＞
＜＜構成＞＞
図１および図２は、それぞれ、第１実施形態の洗浄具１の外観図および縦断面図である。以下図１および図２を参照して洗浄具１について説明する。この洗浄具１は、棒状の柄体２と、柄体２の先端側が内部に差し込まれた状態で柄体２に固定されるクッション体３と、クッション体３の全体を覆うカバー体４と、を備えている。また、この洗浄具１は、環状にカバー体４の周囲から突出する複数の周囲突起体５をさらに備えている。また、この洗浄具１は、ドーム状にカバー体４の先端から突出する先端突起体６をさらに備えている。そして、この洗浄具１は、コップ、グラスのような底が深い器（以下「グラスＧ」と記載する。）を洗浄する際に、柄体２の末端側Ｚ２が把持されて、先端側Ｚ１がグラスＧに差し込まれて使用される（図１参照）。この際、先端側Ｚ１のカバー体４、周囲突起体５、または先端突起体６は、グラスＧの内壁面または底面に当てられて、これらの面に付着した汚れを擦り落とす。以下に洗浄具１の各部について詳述する。
【００２３】
柄体２は、軸方向に延び、先端側Ｚ１の柄部２１と末端側Ｚ２のグリップ部２２とから成る。
【００２４】
柄部２１は、樹脂製で細長い円柱状の部材である。なお、本実施形態では柄部２１は樹脂製を採用しているが、この材質に限るものではない。たとえば、木製、または金属製であってもよい。また、本実施形態では柄部２１は円柱状に形成されているが、この形状に限るものではない。たとえば、角柱形状や円筒形状でもよい。
【００２５】
グリップ部２２は、樹脂製の円柱状の部材で、柄部２１より太く使用者が握り易い太さの径で形成されている。なお、本実施形態ではグリップ部２２は樹脂製を採用しているが、この材質に限るものではない。たとえば、木製、金属製、ゴム製、スポンジ製であってもよい。また、本実施形態ではグリップ部２２は円柱状に形成されているが、この形状に限るものではない。たとえば、手で握ったときにずれにくいように表面に凹凸を設けてもよい。
【００２６】
クッション体３は、元が円筒状のスポンジ製であり、その内部（内径部分）に柄体２の柄部２１の先端部が差し込まれた形で柄体２に接着固定されている。クッション体３はスポンジ製であるため、たとえば手で握ると簡単に形状が変化するが、手を離せば元の形に戻る。クッション体３はこのような弾性変形可能な特性があり、本実施形態では後述するカバー体４により規制されて楕円状で安定した形状が保たれている。なお、本実施形態ではクッション体３はスポンジ製を採用しているが、ある程度弾性変形可能で所定の形状を保つものであればこの材質に限るものではない。たとえば、ゴム製のものでも針金の土台から多数の細い樹脂材がブラシ状に形成されたものでもよい。また、本実施形態ではクッション体３は、元が円筒状のものをカバー体４から加わる力で楕円状になっているが、最初から楕円状に形成してカバー体４から加わる力を小さくしてもよい。
【００２７】
図３は、カバー体４の編み図である。カバー体４については、図１および図２と併せ、図３も参照して説明する。カバー体４は、アクリル繊維からなる毛糸が編まれて形成されたものである。カバー体４は、最先端４１を中心に周方向に整列した網目が１６段で連なって形成されており、クッション体３の全体を覆った形で取り付けられている。なお、段番号４２は、図３において、先端側Ｚ１から末端側Ｚ２へ、順に四角で囲った連番の数字によって示されている。
【００２８】
図３を参照すると、カバー体４は、各段が１箇所を鎖目４３として細編み４４で編まれている。そして、カバー体４は、２段目および３段目で増やし目４５を用いて徐々に網目の数を増やし、一旦網目の数を一定とし、１４段目から１６段目で減らし目４６を用いて徐々に網目の数を減らしている。つまり、先端側Ｚ１および末端側Ｚ２の端部（先端部および末端部）の網目の数が端に近い段ほど少なくなっている。具体的には、１段目が６目、２段目が１２目、３段目〜１３段目が２０目、１４段目が１６目、１５段目が１２目、１６段目が６目となっている。各段において周方向に整列した細編み４４の両端は、鎖目４３で繋がっている。この様に編まれたカバー体４は、先端側Ｚ１および末端側Ｚ２の周囲が徐々に小さくなっており、全体的に角が無い形で形成されている。
【００２９】
また、カバー体４の内部は中空になっており、クッション体３が詰まった状態になっている。すなわち、カバー体４は、クッション体３全体を覆った（包み込んだ）状態になっている。本実施形態のカバー体４は、クッション体３に密着させながら１段目から順に段数を増やし、最終的にはクッション体３を包み込むような手順で形成されている。
【００３０】
なお、上述の網目の数や段数の具体例ついては、本実施形態のクッション体３が密着するように設定されたものである。網目の数や段数は、クッション体の形状に合わせて変わるものであることは勿論である。また、カバー体の縫い方は、網目が細かく、凹凸が多くでき伸び難いという点で本実施形態のように細編みで編まれていることが好ましいが、これに限らない。長網み等で編まれていてもよい。また、カバー体は、上述のようにクッション体に密着させながら１段目から順に段数を増やす手順で形成されていてもよいが、これに限るものではない。たとえば、カバー体は、軸方向に沿う分離線で開いた形に編まれた後に、クッション体を包んで分離線が縫い付けられる手順で形成されていてもよい。また、カバー体は、軸方向に垂直な分離線で分離させた形状に編まれた後に、クッション体に軸方向両側から被せて分離線が縫い付けられる手順で形成されていてもよい。
【００３１】
図４は、周囲突起体５の編み図である。周囲突起体５については、図１および図２と併せ、図４も参照して説明する。周囲突起体５は、アクリル繊維からなる毛糸が編まれて形成されたものである。周囲突起体５は、内側に開口５１が形成されるように周方向に整列した網目が２段で連なって形成されている。なお、段番号５２は、図４において、内側から外側へ、順に四角で囲った連番の数字によって示されている。
【００３２】
周囲突起体５は、環状でカバー体４の周囲から突出する形でカバー体４に取り付けられている。さらに詳しく説明すると、周囲突起体５は、内周縁５３がカバー体４の外周面に編み込みまたは縫い付けにより取り付けられている。また、周囲突起体５は、カバー体４に、間隔をおいて複数箇所に取り付けられている。具体的には本実施形態では、カバー体４の５段目、７段目、および９段目の３箇所に取り付けられている。本実施形態の周囲突起体５は、１段目から順にカバー体４に直接編まれて形成されている。また、図４を参照すると、周囲突起体５は、各段において、１箇所を鎖目５４としてカバー体４の取り付ける段に対応する網目の数で、細編み５５により編まれている。
【００３３】
なお、上述の網目の数や段数の具体例ついては、本実施形態のカバー体４の外形等に合わせて設定されたものある。網目の数や段数は、カバー体の形状や洗浄したいグラス等に合わせて変わることは勿論である。また、周囲突起体の縫い方は、網目が細かく、しっかりとした形状を保てる点で本実施形態のように細編みで編まれていることが好ましいが、これに限らない。また、周囲突起体は、上述のように１段目から順に直接編まれ形成されてもよいが、これに限るものではない。たとえば、周囲突起体は、別体として編まれてから、カバー体に縫い付けられていてもよい。
【００３４】
図５は、先端突起体６の編み図である。先端突起体６については、図１および図２と併せ、図５も参照して説明する。先端突起体６は、アクリル繊維からなる毛糸が編まれて形成されたものである。先端突起体６は、最先端６１を中心に周方向に整列した網目が形成されており、カバー体４の先端からドーム状に突出する形でカバー体４に取り付けられている。なお、段番号６２は、図５において、四角で囲った数字によって示されている。
【００３５】
図５を参照すると、先端突起体６は、１箇所を鎖目６３として、内側が細編み６４により編まれている。また、先端突起体６は、細編み６４の外側が引き抜き編み６５で編まれている。先端突起体６は、このように引き抜き編み６５が施されていることで、外周縁６６（根元）がしっかりとする。先端突起体６は、外周縁６６がカバー体４の１段目に縫い付けられている。これにより、先端突起体６は、ドーム状でカバー体４の先端側Ｚ１から突出する。
【００３６】
＜＜効果＞＞
【００３７】
本実施形態によれば、洗浄具１は、棒状の柄体２の先端側Ｚ１にクッション体３が固定されている。そして、洗浄具１は、クッション体３全体がカバー体４に覆われている。これにより、洗浄具１は、柄体２の末端側Ｚ２が把持されて、先端側Ｚ１のカバー体４をグラスＧの内側に挿入して内壁面や底面に当てやすいように構成されている。また、洗浄具１は、カバー体４の内側に弾性変形可能なクッション体３を備えている。これにより、洗浄具１は、グラスＧに極度の衝撃を与え難いと共に型崩れし難いように構成されている。そして、洗浄具１は、カバー体４が編まれた毛糸で形成されている。これにより、洗浄具１は、毛糸の細かい繊維がグラスＧに付着した汚れを絡めとると共に網目の凹凸がグラスＧに付着した汚れを掻き取るため、汚れを落としやすい。したがって、洗浄具１は、コップやグラスのような底が深い器の内壁面および底面に付着した汚れを除去しやすい洗浄具となっている。なお、洗浄具１は、カバー体４がクッション体３の全体を覆っているため、軸方向にカバー体４がずれて外れ難い。
【００３８】
また、洗浄具１は、カバー体４における先端側Ｚ１の編み目の数が端に近い段ほど少なくなっている。これにより、洗浄具１は、カバー体４の先端側Ｚ１が緩やかな曲面となり、グラスＧのような曲面の底にカバー体４が当たりやすいように構成されている。したがって、洗浄具１は、曲面の底の汚れを落としやすい洗浄具となっている。
【００３９】
また、洗浄具１は、環状にカバー体４の周囲から突出する周囲突起体５を備えている。これにより、洗浄具１は、グラスＧのように湾曲している内壁面に周囲突起体５が当たりやすいように構成されている。したがって、洗浄具１は、湾曲している内壁面の汚れを落としやすい洗浄具となっている。なお、この周囲突起体５は編まれた毛糸で形成されているが、これにより汚れを落としやすくなっていることは前述の通りである。
【００４０】
また、洗浄具１は、ドーム状にカバー体４の先端から突出する先端突起体６を備えている。これにより、洗浄具１は、グラスＧの窪んだ底面に先端突起体６が当たりやすいように構成されている。したがって、洗浄具１は、底面の汚れを落としやすい洗浄具となっている。なお、この先端突起体は編まれた毛糸で形成されているが、これにより汚れを落としやすくなっていることは前述の通りである。
【００４１】
また、洗浄具１は、素材にアクリル繊維から成る毛糸が用いられている。これにより、洗浄具１は、耐薬品性に優れ型崩れし難い洗浄具となっている。
【００４２】
また、洗浄具１は、カバー体４が細編み４４で編まれたものである。これにより、洗浄具１は、網目が細かく伸び難い洗浄具となっている。
【００４３】
また、洗浄具１は、先端突起体６の内側が細編み６４で外側が引き抜き編み６５で編まれたものである。これにより、洗浄具１は、引き抜き編６５で編まれた部分によって根元がしっかりすることで、先端突起体６がドーム状に形成されて、グラスＧの窪んだ底面をしっかり擦れる洗浄具となっている。
【００４４】
＜第２実施形態＞
図６は、第２実施形態の洗浄具１００の縦断面図である。洗浄具１００は、第１実施形態の洗浄具１に対し、周囲突起体および先端突起体の形状が異なっているがその他は同様である。したがって、以下では異なる部分の周囲突起体１０５および先端突起体１０６について説明し、同様の部分については第１実施形態と同じ符号を付して説明を省略する。
【００４５】
この洗浄具１００は、第１実施形態の洗浄具１と同様の柄体２と、クッション体３と、カバー体４と、を備えている。また、この洗浄具１００は、環状にカバー体４の周囲から突出する複数の周囲突起体１０５をさらに備えている。また、この洗浄具１は、すり鉢状にカバー体４の先端から突出する先端突起体１０６をさらに備えている。
【００４６】
周囲突起体１０５は、アクリル繊維からなる毛糸が編まれて形成されたものである。周囲突起体１０５は、内側に開口が形成されるように周方向に整列した網目が４段で連なって形成されている。周囲突起体１０５は、各段において１箇所を鎖目として、細編みで編まれている。周囲突起体１０５は、各段の網目の数が同じとなっており、２段目と３段目との間で折り返されている。そして、周囲突起体１０５は、その両端である１段目および４段目の周縁がカバー体４の周囲に編み込みまたは縫い付けられて固定されている。周囲突起体１０５は、第１実施形態の周囲突起体５に比べて、軸方向の厚みが増すため、形状が崩れ難い。また、周囲突起体１０５は、カバー体４に、間隔をおいて複数箇所に取り付けられている。
【００４７】
先端突起体１０６は、アクリル繊維からなる毛糸が編まれて形成されたものである。先端突起体１０６は、内側にわずかな開口１６１が形成されて、開口１６１を中心に周方向に整列した網目が形成されている。先端突起体１０６は、カバー体４の先端からすり鉢状に突出する形でカバー体４に取り付けられている。先端突起体６は、１箇所を鎖目として細編みで編まれている。先端突起体６は、開口１６１側の周縁がカバー体４の先端に縫い付けられて固定されている。
【００４８】
洗浄具１００は、環状にカバー体４の周囲から突出する周囲突起体１０５を備えている。これにより、洗浄具１００は、グラスＧのように湾曲している内壁面に周囲突起体１０５が当たりやすいように構成されている。したがって、洗浄具１は、湾曲している内壁面の汚れを落としやすい洗浄具となっている。
【００４９】
洗浄具１００は、すり鉢状にカバー体４の先端から突出する先端突起体１０６を備えている。これにより、洗浄具１００は、グラスＧの底面に先端突起体１０６が当たりやすいように構成されている。したがって、洗浄具１は、底面の汚れを落としやすい洗浄具となっている。その他、洗浄具１００の効果については、第１実施形態の洗浄具１と同様であり、説明を省略する。
【００５０】
＜第３実施形態＞
図７は、第３実施形態の洗浄具２００の外観図である。洗浄具２００は、第１実施形態の洗浄具１に対し、周囲突起体の形状が異なっているがその他は同様である。したがって、以下では異なる部分の周囲突起体２０５について説明し、同様の部分については第１実施形態と同じ符号を付して説明を省略する。
【００５１】
この洗浄具２００は、第１実施形態の洗浄具１と同様の柄体２と、クッション体３と、カバー体４と、先端突起体６と、を備えている。また、この洗浄具２００は、螺旋状にカバー体４の周囲から突出する周囲突起体２０５をさらに備えている。
【００５２】
周囲突起体２０５は、アクリル繊維からなる毛糸が細編みで編まれて形成されたものである。周囲突起体２０５は、展開すると２段の高さの細長い矩形になっている。周囲突起体２０５は、カバー体４の周囲に螺旋状に巻きつけられて、長手側の縁部がカバー体４の周囲に編み込まれて固定されている。
【００５３】
洗浄具２００は、螺旋状にカバー体４の周囲から突出する周囲突起体２０５を備えている。これにより、洗浄具２００は、グラスＧのように湾曲している内壁面に周囲突起体２０５が当たりやすいように構成されている。したがって、洗浄具２００は、湾曲している内壁面の汚れを落としやすい洗浄具となっている。その他、洗浄具２００の効果については、第１実施形態の洗浄具１と同様であり、説明を省略する。
【符号の説明】
【００５４】
１、１００、２００‥洗浄具
２‥柄体
３‥クッション体
４‥カバー体
５、１０５、２０５‥周囲突起体
６、１０６‥先端突起体
４４‥細編み
４５‥増やし目
４６‥減らし目
６５‥引き抜き編み
Ｚ１‥先端側
Ｚ２‥末端側
Ｇ‥グラス
【図１】
2018019822.tif 000003
【図２】
2018019822.tif 000004
【図３】
2018019822.tif 000005
【図４】
2018019822.tif 000006
【図５】
2018019822.tif 000007
【図６】
2018019822.tif 000008
【図７】
2018019822.tif 000009